【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
作用電極、参照電極及び対電極とを有し、被験液に対する作用電極と参照電極間の電気化学応答により両電極間に発生する電位差を測定する電気化学測定装置において、
被験液を介して前記作用電極と前記参照電極間の抵抗成分と電気容量成分とを測定する成分測定手段と、
前記被験液に対する作用電極と参照電極間の電気化学応答により両電極間に発生する電位差の実測値と、前記成分測定手段により測定した抵抗成分と電気容量成分とから、前記被験液に対する作用電極と参照電極間の電気化学応答により両電極間に発生する電位差の安定値を予測する予測測定手段とを有することを特徴とする電気化学測定装置。
【請求項２】
作用電極、参照電極及び対電極を有し、被験液に対する作用電極と対電極間の電気化学応答により作用電極に流れる電流値を測定する電気化学測定装置において、
被験液を介して前記作用電極と対電極間の抵抗成分と電気容量成分とを測定する成分測定手段と、
前記被験液に対する作用電極と対電極間の電気化学応答により作用電極に流れる電流の実測値と、前記成分測定手段により測定した抵抗成分と電気容量成分とから、前記被験液に対する作用電極と対電極間の電気化学応答により作用電極に流れる電流の安定値を予測する予測測定手段とを有することを特徴とする電気化学測定装置。
【請求項３】
前記成分測定手段は、被験液を介して作用電極と参照電極間のインダクタンス成分を更に測定することを特徴とする請求項１記載の電気化学測定装置。
【請求項４】
前記成分測定手段は、被験液を介して作用電極と対電極間のインダクタンス成分を更に測定することを特徴とする請求項２記載の電気化学測定装置。
【請求項５】
前記予測測定手段により予測した安定値と、前記成分測定手段により測定した電気容量成分とから、この電気容量成分に充電される電荷量を算出する算出手段と、
この電荷量を充電し、前記被験液に対する作用電極の電気化学応答の応答レベルを向上させるための電流である応答加速電流の印加電流値と印加時間との内少なくとも一方を設定し、この応答加速電流を作用電極、参照電極及び対電極との間に印加するための応答加速手段とを有することを特徴とする請求項１記載の電気化学測定装置。
【請求項６】
前記予測測定手段により予測した安定値と、前記成分測定手段により測定した電気容量成分とから、この電気容量成分に充電される電荷量を算出する算出手段と、
この電荷量を充電し、前記被験液に対する作用電極の電気化学応答の応答レベルを向上させるための電流である応答加速電流の印加電流値と印加時間との内少なくとも一方を設定し、この応答加速電流を作用電極と対電極との間に印加するための応答加速手段とを有することを特徴とする請求項２記載の電気化学測定装置。
【請求項７】
作用電極、参照電極及び対電極とを有し、被験液に対する作用電極と参照電極間の電気化学応答により両電極間に発生する電位差を測定する電気化学測定装置において、
被験液を介して前記作用電極と前記参照電極間のインピーダンス値を測定するインピーダンス測定手段と、
前記インピーダンス測定手段により測定したインピーダンス値と、予め複数段階に設定したインピーダンス評価範囲とを比較することにより、前記被験液に対する作用電極と参照電極間の電気化学応答の応答レベルを判定する応答レベル判定手段と、
前記作用電極と前記参照電極、及び前記対電極との間に応答加速電流を印加する応答加速手段とを有し、前記応答レベル判定手段により判定された応答レベルにより、前記応答加速電流の印加電流値と印加時間との内少なくとも一方を設定することを特徴とする電気化学測定装置。
【請求項８】
作用電極、参照電極及び対電極とを有し、被験液に対する作用電極と対電極間の電気化学応答により作用電極に流れる電流値を測定する電気化学測定装置において、
被験液を介して前記作用電極と前記対電極間のインピーダンス値を測定するインピーダンス測定手段と、
前記インピーダンス測定手段により測定したインピーダンス値と、予め複数段階に設定したインピーダンス評価範囲とを比較することにより、前記被験液に対する作用電極と対電極間の電気化学応答の応答レベルを判定する応答レベル判定手段と、
前記作用電極と前記対電極との間に応答加速電流を印加する応答加速手段とを有し、前記応答レベル判定手段により判定された応答レベルにより、前記応答加速電流の印加電流値と印加時間との内少なくとも一方を設定することを特徴とする電気化学測定装置。
【請求項９】
作用電極、参照電極及び対電極とを有し、被験液に対する作用電極と参照電極間の電気化学応答により両電極間に発生する電位差を測定する電気化学測定装置において、
前記被験液に対する作用電極と参照電極間の電気化学応答により両電極間に発生する電位差の一定時間後の変化量を測定するデータ変化量測定手段と、
前記データ変化量測定手段により測定した変化量と、予め複数段階に設定したデータ変化量評価範囲とを比較することにより応答レベルを判定する応答レベル判定手段と、
前記作用電極と前記参照電極、及び前記対電極との間に応答加速電流を印加する応答加速手段とを有し、前記応答レベル判定手段により判定された応答レベルにより、前記応答加速電流の印加電流値と印加時間との内少なくとも一方を設定することを特徴とする電気化学測定装置。
【請求項１０】
作用電極、参照電極及び対電極とを有し、被験液に対する作用電極と対電極間の電気化学応答により作用電極に流れる電流値を測定する電気化学測定装置において、
前記被験液に対する作用電極と対電極間の電気化学応答により作用電極間に流れる電流値の一定時間後の変化量を測定するデータ変化量測定手段と、
前記データ変化量測定手段により測定した変化量と、予め複数段階に設定したデータ変化量評価範囲とを比較することにより応答レベルを判定する応答レベル判定手段と、
前記作用電極と前記対電極との間に応答加速電流を印加する応答加速手段とを有し、前記応答レベル判定手段により判定された応答レベルにより、前記応答加速電流の印加電流値と印加時間との内少なくとも一方を設定することを特徴とする電気化学測定装置。
【請求項１１】
前記応答加速手段は、応答加速電流に代えて、応答を加速させる電圧である応答加速電圧の印加電圧値と印加時間との内少なくとも一方を設定し、この応答加速電圧を作用電極と参照電極との内少なくとも一方と、対電極との間に印加することを特徴とする請求項５乃至１０の内いずれか一項に記載の電気化学測定装置。
【手続補正２】
【補正対象書類名】明細書
【補正対象項目名】００１３
【補正方法】変更
【補正の内容】
【００１３】
また本発明は、作用電極、参照電極及び対電極とを有し、被験液に対する作用電極と対電極間の電気化学応答により作用電極に流れる電流値を測定する電気化学測定装置において、被験液を介して前記作用電極と前記対電極間のインピーダンス値を測定するインピーダンス測定手段と、前記インピーダンス測定手段により測定したインピーダンス値と、予め複数段階に設定したインピーダンス評価範囲とを比較することにより、前記被験液に対する作用電極と対電極間の電気化学応答の応答レベルを判定する応答レベル判定手段と、前記作用電極と前記対電極との間に応答加速電流を印加する応答加速手段とを有し、前記応答レベル判定手段により判定された応答レベルにより、前記応答加速電流の印加電流値と印加時間との内少なくとも一方を設定する電気化学測定装置を提供する。
【手続補正３】
【補正対象書類名】明細書
【補正対象項目名】００２４
【補正方法】変更
【補正の内容】
【００２４】
また本発明の電気化学測定装置は、作用電極、参照電極及び対電極とを有し、被験液に対する作用電極と対電極間の電気化学応答により作用電極に流れる電流値を測定する電気化学測定装置において、被験液を介して前記作用電極と前記対電極間のインピーダンス値を測定するインピーダンス測定手段と、前記インピーダンス測定手段により測定したインピーダンス値と、予め複数段階に設定したインピーダンス評価範囲とを比較することにより、前記被験液に対する作用電極と対電極間の電気化学応答の応答レベルを判定する応答レベル判定手段と、前記作用電極と前記対電極との間に応答加速電流を印加する応答加速手段とを有し、前記応答レベル判定手段により判定された応答レベルにより、前記応答加速電流の印加電流値と印加時間との内少なくとも一方を設定することにより、被験液を介して作用電極と対電極間のインピーダンス値を測定するだけで、印加すべき応答加速電流を簡便に求め、補正することが可能である。
【手続補正４】
【補正対象書類名】明細書
【補正対象項目名】００９３
【補正方法】変更
【補正の内容】
【００９３】
また本発明の電気化学測定装置は、作用電極、参照電極及び対電極とを有し、被験液に対する作用電極と対電極間の電気化学応答により作用電極に流れる電流値を測定する電気化学測定装置において、被験液を介して前記作用電極と前記対電極間のインピーダンス値を測定するインピーダンス測定手段と、前記インピーダンス測定手段により測定したインピーダンス値と、予め複数段階に設定したインピーダンス評価範囲とを比較することにより、前記被験液に対する作用電極と対電極間の電気化学応答の応答レベルを判定する応答レベル判定手段と、前記作用電極と前記対電極との間に応答加速電流を印加する応答加速手段とを有し、前記応答レベル判定手段により判定された応答レベルにより、前記応答加速電流の印加電流値と印加時間との内少なくとも一方を設定することにより、被験液を介して作用電極と対電極間のインピーダンス値を測定するだけで、印加すべき応答加速電流を簡便に求め、補正することが可能である。